(57)【要約】【課題】  おかずパックに詰められたおかずの鮮度を低コストで簡易に長時間にわたり維持することができ、かつ地球環境にも優しいおかずカップを提供する。【解決手段】底面部２と周壁部３とからなる逆円錐台形状の保冷おかずカップ１であって、底面部２と周壁部３双方に保冷効能を有する保冷手段を備え、保冷手段は、底面部２と周壁部３のそれぞれの内外面の間に形成された中空部２ａ、３ａに保冷剤４を封入させ、使用する際には保冷剤４を凍らせた後あるいは冷やした後に使用する。【選択図】図３
0003232536.tif 000002
【実用新案登録請求の範囲】
【請求項１】
底面部と周壁部とからなる逆円錐台形状のおかずカップであって、前記底面部と前記周壁部双方に保冷効能を有する保冷手段を備えたことを特徴とする保冷おかずカップ。
【請求項２】
前記保冷手段は、前記底面部と前記周壁部のそれぞれの内外面の間に形成された中空部に保冷剤を封入させ、使用する際に前記保冷剤を凍らせた後あるいは冷やした後に実施することを特徴とする請求項１記載の保冷おかずカップ。
【請求項３】
前記保冷剤は、水と高吸水性ポリマーを主成分としたものあるいは保冷用ジェルいずれか一つであることを特徴とする請求項２記載の保冷おかずカップ。
【請求項４】
前記底面部は円形状あるいは楕円形状とされ、また前記周壁部には径方向及び周方向に拡張自在の複数の同一形状のヒダが全周にわたり同一間隔で設けられていることを特徴とする請求項１記載の保冷おかずカップ。
【請求項５】
前記底面部の厚みは３ｍｍ〜１０ｍｍとされ、また前記周壁部の厚みは３ｍｍ〜５ｍｍとされていることを特徴とする請求項１又は４記載の保冷おかずカップ
【考案の詳細な説明】
【技術分野】
【０００１】  本考案は、主に弁当箱や弁当パックの中に入れて使用されるおかずカップに関するものである。
【背景技術】
【０００２】  現在市販されている例えば特許文献１に示すようなおかずカップは主に弁当箱や弁当パックの中に仕切りも兼ねて使用されており、その素材は紙やアルミが多く通常使い捨てにされている。また、特に夏場は弁当箱や弁当パックの中のおかずが腐敗しやすい時期であるので食中毒の発生や味の劣化を防ぐために弁当箱や弁当パック全体をクーラーバッグに入れたり、また弁当箱や弁当パックの中のおかずパックに入った腐敗しやすいおかずに個別的・スポット的にソフト保冷パックを当てるなどして腐敗や劣化防止の対応が行われている。
【先行技術文献】
【特許文献】
【０００３】
【特許文献１】実用新案登録第３１４７９２０号公報
【考案の概要】
【考案が解決しようとする課題】
【０００４】  上述のように特に夏場は弁当箱や弁当パック内のおかずの腐敗や劣化防止に対し食されるまでの時間に応じて様々な保冷処置がなされているがこれらの処置には相当の手間暇がかかっていた。また、特におかずパックには生ものや高価なおかずが詰められることが多いためこれらの鮮度を長時間維持すべく低コストで簡易な方法が望まれていた。さらにおかずカップは使用後にゴミとして捨てられているため地球環境面の問題もあった。
本考案は、上記課題を解決するため、おかずパックに詰められたおかずの鮮度を低コストで簡易に長時間にわたり維持することができ、かつ地球環境にも優しいおかずカップを提供することを目的とする。
【課題を解決するための手段】
【０００５】  本考案の保冷おかずカップは、底面部と周壁部とからなる逆円錐台形状のおかずカップであって、前記底面部と前記周壁部双方に保冷効能を有する保冷手段を備え、前記保冷手段は、前記底面部と前記周壁部のそれぞれの内外面の間に形成された中空部に保冷剤を封入させ、使用する際には前記保冷剤を凍らせた後あるいは冷やした後に使用することを特徴としている。
【考案の効果】
【０００６】  本考案の保冷おかずカップを使用すれば、おかずカップ自体に保冷効能があるため中に詰められたおかずの鮮度を簡易に長時間にわたり維持することができるとともにおかずパックの周囲のおかずに対しても保冷効能を及ぼすことができるため従来のように保冷処置に手間暇をかける必要がなくなる。さらに、本考案の保冷おかずカップは使用後に洗浄して冷凍保存しておけば再利用することができるためエコカップとして地球環境維持にも貢献することができる。
【図面の簡単な説明】
【０００７】
【図１】本考案に係る保冷おかずパックの正面図を示す。
【図２】本考案に係る保冷おかずパックの平面図を示す。
【図３】図２のＡ−Ａ線断面図を示す。
【図４】周壁部にヒダが設けられた保冷おかずパックの外観図を示す。
【考案を実施するための形態】
【０００８】  以下、本考案に係る保冷おかずカップの実施の形態について図１〜図４に基づいて説明する。
１は保冷おかずカップで、底面部２と周壁部３とから形成された逆円錐台形状をしている。保冷おかずカップ１の上部は開口部で、この開口部から副食のおかずを入れて盛り付ける。また、保冷おかずカップ１の底面部２と周壁部３のそれぞれの内外面の間には中空部２ａ，３ａが全面に形成されており、この中空部２ａ、３ａに保冷剤４が封入されている。
【０００９】  保冷剤４は請求項３に記載のように、水と高吸水性ポリマーを主成分としたものあるいは保冷用ジェルを使用すればコストパフォーマンスの優れた保冷効能を発揮することができる。なお、保冷おかずカップ１はソフト保冷パックで通常使用されているポリエチレンなどの樹脂フィルムあるいはシリコンを素材とした一体成形品とされその表面は抗菌処理が施されたものがよい。保冷剤４は成形後に図示していない充填口より充填され封印される。
【００１０】  また、保冷おかずカップ１は請求項４に記載のように、周壁部３においては径方向及び周方向に拡張自在の複数の同一形状のヒダ３ｂを全周にわたり同一間隔で設けた形状とすれば表面積の増加により保冷効能をさらに高めることができる。底面部２はデザイン面や使い方を考慮して楕円形状としてもよい。
【００１１】  さらに、保冷おかずカップ１の厚みｔ１、ｔ２は請求項５に記載のように、底面部２の厚みｔ１を３ｍｍ〜１０ｍｍ，周壁部の厚みｔ２を３ｍｍ〜５ｍｍの範囲で基本的に均一としそれぞれの厚みｔ１、ｔ２の組み合わせ例えば底面部２の厚みｔ１を４ｍｍ、周壁部の厚みｔ２を４ｍｍとするなど保冷時間に応じたシリーズ商品を用意することができる。
【００１２】  本考案に係る保冷おかずカップ１の使用方法は、市販の保冷パックと同様に冷蔵庫に所定時間入れて凍らせた後あるいは冷やした後に使用するだけでよい。このように保冷おかずカップ１はおかずカップ自体に保冷効能有しているので別途保冷処置を行う必要がなく、中に詰められたおかずの鮮度を簡易に長時間にわたり維持することができる。
【００１３】  なお、本考案の保冷おかずカップ１は市販のおかずカップと同様の逆円錐台形状としているが、円筒形や菱型としてもよい。
また，本考案の保冷おかずカップ１はおかず用としているが、ケーキカップやチョコカップとして使用することもできる。
【符号の説明】
【００１４】１    保冷おかずカップ
２    底面部
２ａ  中空部
３    側壁部
３ａ  中空部
３ｂ  ヒダ
４    保冷剤（保冷手段）
ｔ１  厚み（底面部）
ｔ２  厚み（周壁部）
【図１】
0003232536.tif 000003
【図２】
0003232536.tif 000004
【図３】
0003232536.tif 000005
【図４】
0003232536.tif 000006